(57)【特許請求の範囲】
【請求項１】
多重伝送式の火災報知システムに接続することのできる中継器であって、
複数の入出力ポートと、
入出力ポートのそれぞれに設定されたアドレスを記憶する記憶手段と、
入出力ポートに接続される端末器と、火災受信機との間で行なう信号のやりとりを制御する制御手段と、
アドレス設定時には、火災受信から送信されてくるアドレス設定用のコマンドに含まれるアドレスを設定すべき入出力ポートを選択する一方、
運用時には、入出力ポートのそれぞれに設定されているアドレスの使用、不使用を切替える切替手段とを備える、中継器。
【請求項２】
前記切替手段がディップスイッチである、請求項１に記載の中継器。
【請求項３】
請求項1、２のいずれかの中継器を用いた、火災報知システム。
【発明の詳細な説明】
【０００１】
【発明の属する技術分野】
本発明は、中継器及びこれを用いた火災報知システムに関し、特に、複数のアドレスを記憶できるとともに、必要なアドレスを選択して使用できるようにした中継器及びそのような中継器を用いた火災報知システムに関する。
【０００２】
【従来の技術】
図７は、従来の多重伝送式の火災報知システムの一例を概略的に説明する構成図である。
【０００３】
この火災報知システム１０１は、火災受信機１０２と、複数の中継器１０３ａ、１０３ｂ、１０３ｃ、・・・、１０３ｎと、端末器１０４、１０５、１０６、・・・とが、多重伝送線で接続された構成になっている。
【０００４】
尚、図７では、端末器１０４として、火災感知器（端末器）が接続され、端末器１０５として、複数のベル（端末器）１０５・・・が接続され、中継器１０３ｃには、防火戸（端末器）１０６が接続されているものを例示的に示している。
【０００５】
この火災報知システム１０１では、中継器１０３ａ、１０３ｂ、１０３ｃ、・・・、１０３ｎの各々にアドレスを付与して運用している。
【０００６】
より詳しく説明すると、この火災報知システム１０１では、例えば、火災が発生し、火災感知器（端末器）１０４から火災を検知したという信号を中継器１０３ａが受信した場合には、中継器１０３ａは、火災受信機１０２に、自己のアドレスを付与して、火災感知器（端末器）１０４が火災を検知したという信号を出力する。
【０００７】
火災受信機１０２は、中継器１０３ａから自己のアドレスが付与された、火災感知器（端末器）１０４が火災を検知したという信号を受信すると、例えば、ベル１０５から警報音を出力させるため、中継器１０３ｂにベル１０５から警報音を出力させる警報出力指令信号を付与して出力する。
【０００８】
中継器１０３ｂは、中継器１０３ｂのアドレスが付与された信号を受信すると、中継器１０３ｂのアドレスの後に続く命令信号を読み取って、それが、ベル１０５から警報音を出力させる警報出力指令信号であると判断すると、所定時間、ベル１０５から警報音を出力させる。
【０００９】
また、中継器１０３ｂは、１アドレスに対し複数の回線（この例では、４回線）を制御するようになっているので、１台の中継器１０３ｂは、１台の中継器１０３ｂで、複数のベル１０５・・・の制御ができるようになっている。
【００１０】
次に、中継器の内部構成と、中継器にアドレスを設定する方法を概略的に説明する。
【００１１】
図８（ａ）は、従来の中継器の内部構成の一例を模式的に説明するブロック図である。
【００１２】
この中継器１０３ｃａは、制御手段（ＣＰＵ）１１１と、制御手段（ＣＰＵ）１１１に中継器１０３ｃａのアドレスを記憶させるディップスイッチＤＩＰとを備える。
【００１３】
この中継器１０３ｃａでは、ディップスイッチＤＩＰの設定により、制御手段（ＣＰＵ）１１１にアドレスを記憶させるようになっている。
【００１４】
そして、この中継器１０３ｃａでは、ディップスイッチＤＩＰを用い、中継器１０３ｃａにアドレスを設定すると、複数の回線（この例では、４回線）を制御できるようになっている。
【００１５】
また、図８（ｂ）は、従来の中継器の内部構成の他の一例を模式的に説明するブロック図である。
【００１６】
この中継器１０３ｃｂは、制御手段（ＣＰＵ）１１１と、制御手段（ＣＰＵ）１１１に中継器１０３ｃｂのアドレスを記憶させるＥ２ＰＲＯＭ１１２とを備える。
【００１７】
この中継器１０３ｃｂでは、火災受信機１０２から、アドレス設定用のコマンド信号を送信することで、Ｅ２ＰＲＯＭ１１２に中継器１０３ｃｂのアドレスをｃ憶させるようになっている。
【００１８】
そして、この中継器１０３ｃａｂは、Ｅ２ＰＲＯＭ１１２にアドレスを記憶させると、複数の回線（この例では、４回線）を制御できるようになっている。
【００１９】
【発明が解決しようとする課題】
ところで、図７及び図８に示す火災報知システム１０１では、中継器１０３ｃとして、１アドレス複数回線（図７及び図８に示す例では、１アドレス４回線）の例を示したが、中継器としては、１台の中継器で沢山の端末器を制御させたい、という要望等から、１台の中継器に複数のアドレスを設け、複数のアドレスの各々について複数回線を有するような装置の開発が望まれている。
【００２０】
このような要望に応えるためには、通常は、図９（ａ）に示す中継器２０３ａのように、１台の中継器２０３ａ内に、制御手段（ＣＰＵ）１１１ａ、１１１ｂ、１１１ｃ、１１１ｄと、制御手段（ＣＰＵ）１１１ａ、１１１ｂ、１１１ｃ、１１１ｄの各々のアドレスを設定するディップスイッチＤＩＰａ、ＤＩＰｂ、ＤＩＰｃ、ＤＩＰｄと、ディップスイッチＤＩＰａ、ＤＩＰｂ、ＤＩＰｃ、ＤＩＰｄの各々により設定したアドレスＡＤ１、ＡＤ２、ＡＤ３、ＡＤ４に対応する入出力ポート１１７ａ、１１７ｂ、１１７ｃ、１１７ｄとを設け、入出力ポート１１７ａ、１１７ｂ、１１７ｃ、１１７ｄの各々に設けられた回線（この例では、４回線）に、複数の端末器（図示せず。）を接続するようなことが考えられる。
【００２１】
また、通常は、図９（ｂ）に示すような中継器２０３ｂのように、１台の中継器２０３ｂ内に、制御手段（ＣＰＵ）１１１ａ、１１１ｂ、１１１ｃ、１１１ｄと、制御手段（ＣＰＵ）１１１ａ、１１１ｂ、１１１ｃ、１１１ｄの各々のアドレスを記憶させるＥ２ＰＲＯＭ１１２ａ、１１２ｂ、１１２ｃ、１１２ｄと、記憶手段（Ｅ２ＰＲＯＭ）１１２ａ、１１２ｂ、１１２ｃ、１１２ｄの各々により設定したアドレスＡＤ１、ＡＤ２、ＡＤ３、ＡＤ４に対応する入出力ポート１１７ａ、１１７ｂ、１１７ｃ、１１７ｄとを設け、入出力ポート１１７ａ、１１７ｂ、１１７ｃ、１１７ｄの各々に設けられた回線（この例では、４回線）に、複数の端末器（図示せず。）を接続し、運用に際しては、火災受信機１０２から、アドレス設定用のコマンド信号を送信することで、Ｅ２ＰＲＯＭ１１２ａ、１１２ｂ、１１２ｃ、１１２ｄの各々に制御手段（ＣＰＵ）１１１ａ、１１１ｂ、１１１ｃ、１１１ｄの各々のアドレスを記憶させるようなことが考えられる。
【００２２】
しかしながら、図９（ａ）に示す中継器２０３ａでは、中継器２０３ａに設定する複数のアドレスに対応する数の制御手段（ＣＰＵ）１１１ａ、１１１ｂ、１１１ｃ、１１１ｄや、ディップスイッチＤＩＰａ、ＤＩＰｂ、ＤＩＰｃ、ＤＩＰｄが必要となり、中継器２０３ａの製造コストが高くなる、という問題があった。
【００２３】
また、図９（ｂ）に示す中継器２０３ｂでも、中継器２０３ａに設定する複数のアドレスに対応する数の制御手段（ＣＰＵ）１１１ａ、１１１ｂ、１１１ｃ、１１１ｄや、Ｅ２ＰＲＯＭ１１２ａ、１１２ｂ、１１２ｃ、１１２ｄが必要となり、中継器２０３ａの製造コストが高くなる、という問題があった。
【００２４】
のみならず、図９（ａ）に示す中継器２０３ａや、図９（ｂ）に示す中継器２０３ｂを用いた火災報知システムでは、例えば、図９に示す中継器２０３に、１台の端末器を接続したような場合であっても、中継器２０３ａや中継器２０３ｂに設定したアドレス数が、火災報知システム上で占有されてしまい、火災報知システムのアドレス空間が、無駄に消費されてしまう、という問題がある。
【００２５】
本発明は、以上のような問題を解決するためになされたものであって、製造コストを低く押さえつつ、複数のアドレスを記憶できるとともに、必要なアドレスを選択して使用できるようにした中継器及びそのような中継器を用いた火災報知システムを提供することを目的としている。
【００２６】
【課題を解決するための手段】
請求項１に記載の中継器は、多重伝送式の火災報知システムに接続することのできる中継器であって、複数の入出力ポートと、入出力ポートのそれぞれに設定されたアドレスを記憶する記憶手段と、入出力ポートに接続される端末器と、火災受信機との間で行なう信号のやりとりを制御する制御手段と、アドレス設定時には、火災受信から送信されてくるアドレス設定用のコマンドに含まれるアドレスを設定すべき入出力ポートを選択する一方、運用時には、入出力ポートのそれぞれに設定されているアドレスの使用、不使用を切替える切替手段とを備える。
【００２７】
この中継器では、１台の中継器に複数の入出力ポートを設けているので、１台の中継器に複数の端末器を接続できる。
【００２８】
また、この中継器は、使用するアドレスを選択する切替手段を備えているので、この中継器を火災報知システムに用いた場合には、例えば、切替手段により、記憶手段に、必要なアドレスのみを記憶させることで、火災報知システムの全体のアドレス空間が、不必要なアドレス設定により、占有されることがない、火災報知システムの設定・運用が可能となる。
【００２９】
また、この中継器を火災報知システムに用いた場合、この中継器の記憶手段に複数のアドレスを記憶させた場合であっても、切替手段により、不必要なアドレスについては、火災報知システムの全体のアドレス空間から削除することができるので、火災報知システムの全体のアドレス空間が、不必要なアドレス設定により、占有されることがない。
【００３０】
更に、この中継器を火災報知システムに用いた場合、切替手段により、１台の中継器で、必要な数の端末器を制御できるので、火災報知システムの最適な運用が可能となる。
【００４１】
請求項２に記載の中継器は、請求項１に記載の中継器の、切替手段がディップスイッチである。
【００４２】
この中継器では、切替手段として、装置構成が簡単で且つ切替操作が簡単な、ディップスイッチを採用しているので、製造コストを低く押さえつつ、火災報知システムのアドレス空間を無駄に消費することなく、複数のアドレスを記憶できるとともに、必要なアドレスを選択して使用できるようにした中継器を市場に供給することができる。
【００４５】
請求項３に記載の火災報知システムは、請求項1、２のいずれかの中継器を用いているので、製造コストを低く押さえつつ、中継器により火災報知システムの全体のアドレス空間が、不必要なアドレス設定により、占有されることがない、火災報知システムを市場に供給することができる。
【００４６】
【発明の実施の形態】
以下、図面を参照しながら、本発明に係る中継器及び火災報知システムについて、更に、詳しく説明する。
（発明の実施の形態１）
図１は、中継器３ｂの内部構成の一例を模式的に説明するブロック図であり、また、図２は、本発明に係る、多重伝送式の火災報知システムの一例を概略的に説明する構成図である。
【００４７】
この火災報知システム１は、火災受信機２と、複数の中継器３ａ、３ｂ、３ｃ、・・・、３ｎとが、多重伝送線で接続された構成になっている。
【００４８】
尚、この火災報知システム１では、中継器３ａには、火災感知器（端末器）４が接続され、中継器３ｂには、ベル（端末器）５ａ、５ｂが接続され、中継器３ｃには、防火戸（端末器）６が接続されているものを例示的に示している。
【００４９】
この火災報知システム１では、中継器３ａ、３ｃ、・・・、３ｎの各々には、一つのアドレスを付与して運用している。
【００５０】
また、この火災報知システム１では、中継器３ｂとして、本発明に係る中継器を用いている。
【００５１】
次に、図１を参照しながら、中継器３ｂの構成を説明する。
【００５２】
この中継器３ｂは、複数のアドレスを記憶する記憶手段（Ｅ２ＰＲＯＭ）１２と、複数の入出力ポート１７ａ、１７ｂ、１７ｃ、１７ｄと、複数の入出力ポート１７ａ、１７ｂ、１７ｃ、１７ｄの各々の複数の回線（この例では、４回線）に接続される端末器（この例では、ベル５ａ、５ｂが回線に接続されている。）と、火災受信機２との間で行なう信号のやりとりを制御する制御手段（ＣＰＵ）１１と、使用するアドレスを選択する切替手段（ディップスイッチ）ＤＩＰとを備える。
【００５３】
この切替手段（ディップスイッチ）ＤＩＰは、記憶手段（Ｅ２ＰＲＯＭ）１２に記憶させるアドレスの数及び／又は記憶手段（Ｅ２ＰＲＯＭ）１２に記憶したアドレス中、使用するアドレスを選択するためのものである。
【００５４】
また、図１中、１７ａ、１７ｂ、１７ｃ、１７ｄの各々は、入出力ポートを示しており、入出力ポート１７ａ、１７ｂ、１７ｃ、１７ｄの各々は、複数の回線（この例では、４回線）を制御できるようになっている。
【００５５】
具体的には、この中継器３ｂでは、記憶手段（Ｅ２ＰＲＯＭ）１２にアドレスＡＤ１を記憶させた場合には、火災受信機２から出力された信号（アドレスＡＤ１とこれに引き続く制御信号）を受信すると、入出力ポート１７ａを介して複数の回線（この例では、４回線）の各々に接続される端末器（図示せず。）を制御できるようになっている。
【００５６】
また、この中継器３ｂでは、記憶手段（Ｅ２ＰＲＯＭ）１２にアドレスＡＤ２を記憶させた場合には、火災受信機２から出力された信号（アドレスＡＤ２とこれに引き続く制御信号）を受信すると、入出力ポート１７ｂを介して複数の回線（この例では、４回線）の各々に接続される端末器（図示せず。）を制御できるようになっている。
【００５７】
また、この中継器３ｂでは、記憶手段（Ｅ２ＰＲＯＭ）１２にアドレスＡＤ３を記憶させた場合には、火災受信機２から出力された信号（アドレスＡＤ３とこれに引き続く制御信号）を受信すると、入出力ポート１７ｃを介して複数の回線（この例では、４回線）の各々に接続される端末器（図示せず。）を制御できるようになっている。
【００５８】
また、この中継器３ｂでは、記憶手段（Ｅ２ＰＲＯＭ）１２にアドレスＡＤ４を記憶させた場合には、火災受信機２から出力された信号（アドレスＡＤ４とこれに引き続く制御信号）を受信すると、入出力ポート１７ｄを介して複数の回線（この例では、４回線）の各々に接続される端末器（図示せず。）を制御できるようになっている。
【００５９】
次に、この中継器３ｂのアドレス設定方法について説明する。
【００６０】
まず、この中継器３ｂを、例えば、従来の中継器１０３ａと同様の、一つのアドレスを有し、この中継器３ｂに１台の端末器（図示せず。）を接続するようにして使用する場合（例えば、この中継器３ｂにアドレスＡＤ１を記憶させる場合）には、図３（ａ）に示すように、切替手段（ディップスイッチ）ＤＩＰのスイッチＳＷ１をオンにし、スイッチＳＷ２、スイッチＳＷ３及びスイッチＳＷ４をオフにする。
【００６１】
次いで、火災受信機２からアドレス設定用のコマンド信号として、例えば、アドレスＡＤ１を含む信号を、中継器３ｂに送信する。
【００６２】
この場合、切替手段（ディップスイッチ）ＤＩＰのスイッチＳＷ１のみがオンにされ、残りのスイッチＳＷ２、ＳＷ３、ＳＷ４のいずれもが、オフにされているので、記憶手段（Ｅ２ＰＲＯＭ）１２にアドレスＡＤ１のみが記憶される。
【００６３】
この場合、中継器３ｂの入出力ポート１７ａに端末器（この例では、ベル５ａ）を接続すれば、例えば、以下に示すような火災報知が実現される。
【００６４】
例えば、火災が発生し、火災感知器（端末器）４から火災を検知したという信号を中継器３ａが受信した場合には、中継器３ａは、火災受信機２に、自己のアドレスを付与して、火災感知器（端末器）４が火災を検知したという信号を出力し、火災受信機２は、中継器３ａから自己のアドレスが付与された、火災感知器（端末器）４が火災を検知したという信号を受信すると、例えば、ベル５ａから警報音を出力させるため、中継器３ｂにベル５ａから警報音を出力させる警報出力指令信号を付与して出力する。
【００６５】
中継器３ｂは、火災受信機２からの信号を受信すると、ベル５ａから警報音を出力させる警報出力指令信号であると判断すると、ベル５ａから警報音を出力させる。
【００６６】
また、中継器３ｂに２つのアドレスを記憶させる場合は、以下のような手順によって行なわれる。
【００６７】
まず、切替手段（ディップスイッチ）ＤＩＰのスイッチＳＷ１をオンにし、スイッチＳＷ２、ＳＷ３、ＳＷ４をオフにする。
【００６８】
次いで、火災受信機２からアドレス設定用のコマンド信号として、アドレスＡＤ１を含む信号を、中継器３ｂに送信する。
【００６９】
この操作により、記憶手段（Ｅ２ＰＲＯＭ）１２にアドレスＡＤ１が記憶される。
【００７０】
次に、切替手段（ディップスイッチ）ＤＩＰのスイッチＳＷ３をオンにし、スイッチＳＷ１、ＳＷ２、ＳＷ４をオフにする。
【００７１】
次いで、火災受信機２からアドレス設定用のコマンド信号として、アドレスＡＤ３を含む信号を、中継器３ｂに送信する。
【００７２】
この操作により、記憶手段（Ｅ２ＰＲＯＭ）１２にアドレスＡＤ３が記憶される。
【００７３】
以上の操作により、記憶手段（Ｅ２ＰＲＯＭ）１２にアドレスＡＤ１、ＡＤ３が記憶される。
【００７４】
この場合、中継器３ｂの入出力ポート１７ａ、１７ｃの各々に端末器（この例では、ベル５ａ、５ｂ）を接続して運用することができる。
【００７５】
また、この中継器３ｂでは、アドレス設定時において、例えば、切替手段（ディップスイッチ）ＤＩＰを構成するスイッチＳＷ１をオンにし、スイッチＳＷ２、ＳＷ３、ＳＷ４をオフにし、火災受信機２からアドレス設定用のコマンド信号として、アドレスＡＤ１を含む信号を、中継器３ｂに送信し、次いで、切替手段（ディップスイッチ）ＤＩＰを構成するスイッチＳＷ２をオンにし、スイッチＳＷ１、ＳＷ３、ＳＷ４をオフにし、火災受信機２からアドレス設定用のコマンド信号として、アドレスＡＤ２を含む信号を、中継器３ｂに送信し、次いで、切替手段（ディップスイッチ）ＤＩＰを構成するスイッチＳＷ３をオンにし、スイッチＳＷ１、ＳＷ２、ＳＷ４をオフにし、火災受信機２からアドレス設定用のコマンド信号として、アドレスＡＤ３を含む信号を、中継器３ｂに送信し、次いで、切替手段（ディップスイッチ）ＤＩＰを構成するスイッチＳＷ４をオンにし、スイッチＳＷ１、ＳＷ２、ＳＷ３をオフにし、火災受信機２からアドレス設定用のコマンド信号として、アドレスＡＤ４を含む信号を中継器３ｂに送信すれば、中継器３ｂの記憶手段（Ｅ２ＰＲＯＭ）１２に４個のアドレスＡＤ１、ＡＤ２、ＡＤ３、ＡＤ４を記憶させることができる。
【００７６】
尚、以上は例示であって、切替手段（ディップスイッチ）ＤＩＰを構成するスイッチＳＷ１、ＳＷ２、ＳＷ３、ＳＷ４の各々のオンオフを適宜行ない、オンにしたスイッチＳＷ１、ＳＷ２、ＳＷ３、ＳＷ４の各々に対応するアドレス設定用のコマンド信号（アドレスＡＤ１、ＡＤ２、ＡＤ３、ＡＤ４のいずれか一つを含むアドレス設定用のコマンド信号）を火災受信機２から中継器３ｂに送信すれば、中継器３ｂに４個のアドレスＡＤ１、ＡＤ２、ＡＤ３、ＡＤ４の中の１つを記憶手段（Ｅ２ＰＲＯＭ）１２に記憶させることで、中継器３ｂに１つのアドレスを設定した状態にして、中継器３ｂを使用できる。
【００７７】
また、上記の操作により中継器３ｂの記憶手段（Ｅ２ＰＲＯＭ）１２に４個のアドレスＡＤ１、ＡＤ２、ＡＤ３、ＡＤ４の中のいずれか１つを記憶させた後、既に記憶手段（Ｅ２ＰＲＯＭ）１２に記憶させたスイッチ（スイッチＳＷ１、ＳＷ２、ＳＷ３、ＳＷ４のいずれか１つ）をオフにし、残りのスイッチ（既に記憶手段（Ｅ２ＰＲＯＭ）１２に記憶させたスイッチ（スイッチＳＷ１、ＳＷ２、ＳＷ３、ＳＷ４のいずれか１つを除く残り３つのスイッチのいずれか１つ）をオンにし、オンにしたスイッチに対応するアドレスを含むアドレス設定用のコマンド信号を火災受信機２から送信すれば、中継器３ｂに２つのアドレスを設定した状態にして、中継器３ｂを使用できる。
【００７８】
また、上記の操作により中継器３ｂの記憶手段（Ｅ２ＰＲＯＭ）１２に４個のアドレスＡＤ１、ＡＤ２、ＡＤ３、ＡＤ４の中のいずれか２つを記憶させた後、既に記憶手段（Ｅ２ＰＲＯＭ）１２に記憶させたスイッチ（スイッチＳＷ１、ＳＷ２、ＳＷ３、ＳＷ４のいずれか２つ）をオフにし、残りのスイッチ（既に記憶手段（Ｅ２ＰＲＯＭ）１２に記憶させたスイッチ（スイッチＳＷ１、ＳＷ２、ＳＷ３、ＳＷ４のいずれか２つを除く残り２つのスイッチのいずれか１つ）をオンにし、オンにしたスイッチに対応するアドレスを含むアドレス設定用のコマンド信号を火災受信機２から送信すれば、中継器３ｂに３つのアドレスを設定した状態にして、中継器３ｂを使用できる。
【００７９】
また、上記の操作により中継器３ｂの記憶手段（Ｅ２ＰＲＯＭ）１２に４個のアドレスＡＤ１、ＡＤ２、ＡＤ３、ＡＤ４の中のいずれか３つを記憶させた後、既に記憶手段（Ｅ２ＰＲＯＭ）１２に記憶させたスイッチ（スイッチＳＷ１、ＳＷ２、ＳＷ３、ＳＷ４のいずれか３つ）をオフにし、残りのスイッチ（既に記憶手段（Ｅ２ＰＲＯＭ）１２に記憶させたスイッチ（スイッチＳＷ１、ＳＷ２、ＳＷ３、ＳＷ４のいずれか３つを除く残り１つのスイッチのいずれか１つ）をオンにし、オンにしたスイッチに対応するアドレスを含むアドレス設定用のコマンド信号を火災受信機２から送信すれば、中継器３ｂに４つのアドレスを設定した状態にして、中継器３ｂを使用できる。
【００８０】
この中継器３ｂでは、１台の中継器３ｂに複数の入出力ポート１７ａ、１７ｂ、１７ｃ、１７ｄを設けており、入出力ポート１７ａ、１７ｂ、１７ｃ、１７ｄの各々が複数の回線（この例では、４回線）を制御できるようにしているので、１台の中継器３ｂに複数の端末器（この例では、最大、１６個）を接続できる。
【００８１】
また、この中継器３ｂは、記憶手段（Ｅ２ＰＲＯＭ）１２に記憶したアドレス中、使用するアドレスを選択する切替手段（ディップスイッチ）ＤＩＰを備えているので、この中継器３ｂを火災報知システム１に用いた場合には、例えば、切替手段（ディップスイッチ）ＤＩＰにより、記憶手段（Ｅ２ＰＲＯＭ）１２に、必要なアドレスのみを記憶させることで、火災報知システム１の全体のアドレス空間が、不必要なアドレス設定により、占有されることがない、火災報知システムの設定・運用が可能となる。
【００８２】
また、この中継器３ｂを火災報知システム１に用いた場合、この中継器３ｂの記憶手段（Ｅ２ＰＲＯＭ）１２に複数のアドレスＡＤ１、ＡＤ２、ＡＤ３、ＡＤ４を記憶させた場合であっても、切替手段（ディップスイッチ）ＤＩＰにより、不必要なアドレスについては、火災報知システム１の全体のアドレス空間から削除することができるので、火災報知システム１の全体のアドレス空間が、不必要なアドレス設定により、占有されることがない。
【００８３】
例えば、この中継器３ｂを火災報知システム１に用いた場合、この中継器３ｂの記憶手段（Ｅ２ＰＲＯＭ）１２に複数のアドレスＡＤ１、ＡＤ２、ＡＤ３、ＡＤ４を記憶させた場合であっても、切替手段（ディップスイッチ）ＤＩＰを構成するスイッチＳＷ１、ＳＷ２、ＳＷ３、ＳＷ４を、運用時において、図３（ｂ）に示すように、スイッチＳＷ１、ＳＷ３をオンにし、スイッチＳＷ２、ＳＷ４をオフにして使用すれば、中継器３ｂに４個のアドレス（この例では、アドレスＡＤ１、ＡＤ２、ＡＤ３、ＡＤ４）を設定している場合であっても、２個のアドレス（この例では、アドレスＡＤ１、ＡＤ３）を設定したものとして、使用することができる。
【００８４】
尚、上記は例示であって、記憶手段（Ｅ２ＰＲＯＭ）１２に複数のアドレスＡＤ１、ＡＤ２、ＡＤ３、ＡＤ４を記憶させた場合であっても、切替手段（ディップスイッチ）ＤＩＰを構成するスイッチＳＷ１、ＳＷ２、ＳＷ３、ＳＷ４を、運用時において、適宜をオンオフすることで、記憶手段（Ｅ２ＰＲＯＭ）１２に記憶させたアドレス数よりも少ないアドレス数を設定した中継器として、使用することができる。
【００８５】
更に、この中継器３ｂを火災報知システム１に用いた場合、切替手段（ディップスイッチ）ＤＩＰにより、１台の中継器３ｂで、必要な数の端末器を制御できるので、火災報知システム１の最適な運用が可能となる。
（発明の参考例１）
図４は、本発明の参考例である中継器の内部構成を模式的に示すブロック図である。
【００８６】
この中継器３ｂ−１は、例えば、図２に示す火災報知システム１の中継器３ｂの代わりとして使用できるものである。
【００８７】
この中継器３ｂ−１は、複数のアドレスを記憶する記憶手段（Ｅ２ＰＲＯＭ）２２と、複数の入出力ポート１７ａ、１７ｂ、１７ｃ、１７ｄと、複数の入出力ポート１７ａ、１７ｂ、１７ｃ、１７ｄの各々に複数の回線（この例では、４回線）に接続される端末器（図示せず。）と、火災受信機２との間で行なう信号のやりとりを制御する制御手段（ＣＰＵ）１１と、使用するアドレスを選択する切替手段（ディップスイッチ）ＤＩＰとを備える。
【００８８】
そして、この中継器３ｂ−１では、記憶手段（Ｅ２ＰＲＯＭ）２２は、複数のアドレス中、最初のアドレスが設定されると、残りのアドレスを予め定められた所定のパターンで自動設定するようにされている。
【００８９】
この例では、制御手段（ＣＰＵ）１１に、予め、火災受信機２から送信された、アドレス設定用のコマンド信号として最初のアドレスＡＤを含む信号を受信すると、記憶手段（Ｅ２ＰＲＯＭ）２２に、最初のアドレスＡＤを記憶するとともに、最初のアドレスＡＤに１を加算したアドレス（ＡＤ＋１）、最初のアドレスＡＤに２を加算したアドレス（ＡＤ＋２）及び最初のアドレスＡＤに３を加算したアドレス（ＡＤ＋３）を記憶させるプログラムが予め格納されている。
【００９０】
また、この中継器３ｂ−１では、火災受信機２から送信された信号（最初のアドレスＡＤ（この例では、アドレス「１０」）とこれに引き続く制御信号）を受信すると、最初のアドレスＡＤ（この例では、アドレス「１０」）に引き続く制御信号に基づいて、入出力ポート１７ａの複数の回線（この例では、４回線）を制御するようになっており、また、入出力ポート１７ａの複数の回線（この例では、４回線）のいずれかに接続された端末器（図示せず。）からの信号を受信すると、最初のアドレスＡＤ（この例では、アドレス「１０」）に、入出力ポート１７ａの複数の回線（この例では、４回線）のいずれかに接続された端末器（図示せず。）から送信されてきた信号を付加して、火災受信機２に送信するようになっている。
【００９１】
また、この中継器３ｂ−１では、火災受信機２から送信された信号（最初のアドレスＡＤに１が加算されたアドレスＡＤ＋１（この例では、アドレス「１１」）とこれに引き続く制御信号）を受信すると、最初のアドレスＡＤに１が加算されたアドレスＡＤ＋１（この例では、アドレス「１１」）に引き続く制御信号に基づいて、入出力ポート１７ｂの複数の回線（この例では、４回線）を制御するようになっており、また、入出力ポート１７ｂの複数の回線（この例では、４回線）のいずれかに接続された端末器（図示せず。）からの信号を受信すると、最初のアドレスＡＤに１が加算されたアドレスＡＤ＋１（この例では、アドレス「１１」）に、入出力ポート１７ｂに接続された端末器（図示せず。）から送信されてきた信号を付加して、火災受信機２に送信するようになっている。
【００９２】
また、この中継器３ｂ−１では、火災受信機２から送信された信号（最初のアドレスＡＤに２が加算されたアドレスＡＤ＋２（この例では、アドレス「１２」）とこれに引き続く制御信号）を受信すると、最初のアドレスＡＤに２が加算されたアドレスＡＤ＋２（この例では、アドレス「１２」）に引き続く制御信号に基づいて、入出力ポート１７ｃの複数の回線（この例では、４回線）を制御するようになっており、また、入出力ポート１７ｃの複数の回線（この例では、４回線）のいずれかに接続された端末器（図示せず。）からの信号を受信すると、最初のアドレスＡＤに２が加算されたアドレスＡＤ＋２（この例では、アドレス「１２」）に、入出力ポート１７ｃの複数の回線（この例では、４回線）に接続された端末器（図示せず。）から送信されてきた信号を付加して、火災受信機２に送信するようになっている。
【００９３】
また、この中継器３ｂ−１では、火災受信機２から送信された信号（最初のアドレスＡＤに３が加算されたアドレスＡＤ＋３とこれに引き続く制御信号）を受信すると、最初のアドレスＡＤに３が加算されたアドレスＡＤ＋３（この例では、アドレス「１３」）に引き続く制御信号に基づいて、入出力ポート１７ｄの複数の回線（この例では、４回線）に出力するようになっており、また、入出力ポート１７ｄの複数の回線（に接続された端末器（図示せず。）からの信号を受信すると、最初のアドレスＡＤに３が加算されたアドレスＡＤ＋３（この例では、アドレス「１３」）に、入出力ポート１７ｄの複数の回線（この例では、４回線）のいずれかに接続された端末器（図示せず。）から送信されてきた信号を付加して、火災受信機２に送信するようになっている。
【００９４】
また、この例では、切替手段（ディップスイッチ）ＤＩＰとして、２ビットのでディップスイッチを用いている。
【００９５】
そして、この中継器３ｂ−１では、図５（ａ）に示すように、切替手段（ディップスイッチ）ＤＩＰのスイッチＳＷ１及びスイッチＳＷ２がともにオフの場合には、中継器３ｂ−１を入出力ポート１７ａ、１７ｂ、１７ｃ、１７ｄで運用し、図５（ｂ）に示すように、切替手段（ディップスイッチ）ＤＩＰのスイッチＳＷ１がオフで、スイッチＳＷ２がオンの場合には、中継器３ｂ−１を入出力ポート１７ａ、１７ｂ、１７ｃで運用し、図５（ｃ）に示すように、切替手段（ディップスイッチ）ＤＩＰのスイッチＳＷ１がオンで、スイッチＳＷ２がオフの場合には、中継器３ｂ−１を入出力ポート１７ａ、１７ｂで運用し、また、図５（ｄ）に示すように、切替手段（ディップスイッチ）ＤＩＰのスイッチＳＷ１及びスイッチＳＷ２がオンの場合には、中継器３ｂ−１を入出力ポート１７ａのみで運用するようにしている。
【００９６】
次に、この中継器３ｂ−１にアドレスを設定する際には、火災受信機２から中継器３ｂ−１に、アドレス設定用のコマンド信号として、最初のアドレスＡＤ（例えば、「１０」）を含む信号を送信する。
【００９７】
中継器３ｂ−１は、火災受信機２から発信された、最初のアドレスＡＤ（例えば、「１０」）を含む、アドレス設定用のコマンド信号を受信すると、制御手段（ＣＰＵ）１１に予め格納されている、複数のアドレス中、最初のアドレスが設定されると、残りのアドレスを予め定められた所定のパターンで自動設定するプログラムを駆動し、記憶手段（ＥＥＰＲＯＭ）２２に、このプログラムに従って、アドレスＡＤ１として、「１０」を、アドレスＡＤ２として、アドレスＡＤ１に１を加算した、「１１」を、アドレスＡＤ３として、アドレスＡＤ１に２を加算した、「１２」を、アドレスＡＤ４として、アドレスＡＤ１に２を加算した、「１３」を、記憶する。
【００９８】
これにより、入出力ポート１７ａが、アドレスＡＤ１（「１０」）の入出力ポートとして機能し、入出力ポート１７ｂが、アドレスＡＤ２（「１１」）の入出力ポートとして機能し、入出力ポート１７ｃが、アドレスＡＤ２（「１２」）の入出力ポートとして機能し、また、入出力ポート１７ｄが、アドレスＡＤ２（「１３」）の入出力ポートとして機能する。
【００９９】
この中継器３ｂ−１では、１台の中継器３ｂ−１に複数の入出力ポート１７ａ、１７ｂ、１７ｃ、１７ｄを設け、入出力ポート１７ａ、１７ｂ、１７ｃ、１７ｄの各々の複数の回線に端末器（図示せず。）を接続できるようにしているので、１台の中継器３ｂ−１に沢山の端末器を接続できる。
【０１００】
また、この中継器３ｂ−１は、記憶手段（Ｅ２ＰＲＯＭ）２２に記憶したアドレス中、使用するアドレスを選択する切替手段（ディップスイッチ）ＤＩＰを備えているので、この中継器３ｂ−１を火災報知システム１の中継器３ｂの代わりに用いた場合に、例えば、切替手段（ディップスイッチ）ＤＩＰにより、不必要なアドレスについては、火災報知システム１の全体のアドレス空間から削除することができるので、火災報知システム１の全体のアドレス空間が、不必要なアドレス設定により、占有されることがない。
【０１０１】
のみならず、この中継器３ｂ−１では、記憶手段（Ｅ２ＰＲＯＭ）２２は、複数のアドレス中、最初のアドレスＡＤ１が設定されると、残りのアドレスを予め定められた所定のパターンで自動設定するようにしているので、中継器３ｂ−１のアドレス設定を容易に行なうことができる。
【０１０２】
更に、この中継器３ｂ−１を火災報知システム１に用いた場合、切替手段（ディップスイッチ）ＤＩＰにより、１台の中継器３ｂ−１で、必要な数の端末器を制御できるので、火災報知システム１の最適な運用が可能となる。
【０１０３】
また、この中継器３ｂ−１では、記憶手段（Ｅ２ＰＲＯＭ）２２に最初のアドレスが設定された場合の、記憶手段（Ｅ２ＰＲＯＭ）２２に記憶される残りのアドレスの予め定められた所定のパターンを、連番にしているので、一つの中継器３ｂ−１に、重複したアドレスが設定されることが無い。
【０１０４】
尚、参考例１では、中継器として、記憶手段（Ｅ２ＰＲＯＭ）２２に、４個のアドレスを記憶させ、入出力ポートが４個設けられた中継器３ｂ−１について説明したが、これは、単なる例示に過ぎない。
【０１０５】
本発明の参考例である中継器は、例えば、記憶手段（Ｅ２ＰＲＯＭ）２２に、ｎ個（ｎ≧２）のアドレスを記憶させ、入出力ポートがｎ個（ｎ≧２）設けられた中継器であって、ｎ個（ｎ≧２）のアドレスが連番になっている中継器等が含まれる。
（発明の参考例２）
図６は、本発明の参考例である別の中継器の内部構成を模式的に示すブロック図である。
【０１０６】
この中継器３ｂ−２は、例えば、図２に示す火災報知システム１の中継器３ｂの代わりとして使用できるものである。
【０１０７】
この中継器３ｂ−２は、アドレスを記憶する記憶手段（Ｅ２ＰＲＯＭ）２２と、複数の入出力ポート１７ａ、１７ｂ、１７ｃ、１７ｄと、複数の入出力ポート１７ａ、１７ｂ、１７ｃ、１７ｄの各々に複数の回線（この例では、４回線）に接続される端末器（図示せず。）と、火災受信機２との間で行なう信号のやりとりを制御する制御手段（ＣＰＵ）１１と、使用するアドレスを選択する切替手段（ディップスイッチ）ＤＩＰとを備える。
【０１０８】
この中継器３ｂ−２では、火災受信機２から中継器３ｂ−２のアドレス設定用のコマンド信号を送信すると、アドレスを記憶する記憶手段（Ｅ２ＰＲＯＭ）２２に、この中継器３ｂ−２の先頭アドレス（この例では、アドレスＡＤ１）が記憶される。
【０１０９】
そして、この中継器３ｂ−２では、制御手段（ＣＰＵ）１１が、制御手段（ＣＰＵ）１１自身の記憶手段（図示せず。）に、この中継器３ｂ−２の先頭アドレス（この例では、アドレスＡＤ１）に、１を加えたアドレス（アドレスＡＤ１＋１）、２を加えたアドレス（アドレスＡＤ１＋２）、３を加えたアドレス（アドレスＡＤ１＋３）を記憶するようになっている。
【０１１０】
例えば、火災受信機２から中継器３ｂ−２のアドレス設定用のコマンド信号（例えば、アドレス「１０」）を中継器３ｂ−２に送信すると、記憶手段（Ｅ２ＰＲＯＭ）２２に、火災受信機２から送信されたアドレス（この例では、アドレス「１０」）が記憶され、記憶手段（Ｅ２ＰＲＯＭ）２２に、火災受信機２から送信されたアドレス（この例では、アドレス「１０」）が記憶されると、制御手段（ＣＰＵ）１１が、制御手段（ＣＰＵ）１１自身の記憶手段（図示せず。）に、この中継器３ｂ−２の先頭アドレス（この例では、アドレス「１０」）に、１を加えたアドレス（この例では、アドレス「１１」）、２を加えたアドレス（この例では、アドレス「１２」）、３を加えたアドレス（この例では、アドレス「１３」）を記憶するようになっており、火災受信機２に、４つのアドレス（この例では、アドレス「１０」、「１１」、「１２」及び「１３」）が設定されると、入出力ポート１７ａの複数の回線（この例では、４回線）が、火災受信機２からアドレスＡＤ１（この例では、アドレス「１０」）が割り付けられた入出力ポート１７ａに対して送信されてきた制御信号により制御され、入出力ポート１７ｂの複数の回線（この例では、４回線）が、火災受信機２からアドレスＡＤ２（この例では、アドレス「１１」）が割り付けられた入出力ポート１７ｂに対して送信されてきた制御信号により制御され、入出力ポート１７ｃの複数の回線（この例では、４回線）が、火災受信機２からアドレスＡＤ３（この例では、アドレス「１２」）が割り付けられた入出力ポート１７ｃに対して送信されてきた制御信号により制御され、また、入出力ポート１７ｄの複数の回線（この例では、４回線）が、火災受信機２からアドレスＡＤ４（この例では、アドレス「１３」）が割り付けられた入出力ポート１７ｄに対して送信されてきた制御信号により制御されるようになっている。
【０１１１】
また、入出力ポート１７ａの複数の回線（この例では、４回線）のいずれかに接続された端末器（図示せず。）が、例えば、火災を検知した場合には、制御手段（ＣＰＵ）１１が、アドレスＡＤ１（この例では、アドレス「１０」）を付与して、火災受信機２に、端末器（図示せず。）が、火災を検知した、という信号を送信する。
【０１１２】
また、入出力ポート１７ｂの複数の回線（この例では、４回線）のいずれかに接続された端末器（図示せず。）が、例えば、火災を検知した場合には、制御手段（ＣＰＵ）１１が、アドレスＡＤ２（この例では、アドレス「１１」）を付与して、火災受信機２に、端末器（図示せず。）が、火災を検知した、という信号を送信する。
【０１１３】
また、入出力ポート１７ｃの複数の回線（この例では、４回線）のいずれかに接続された端末器（図示せず。）が、例えば、火災を検知した場合には、制御手段（ＣＰＵ）１１が、アドレスＡＤ３（この例では、アドレス「１２」）を付与して、火災受信機２に、端末器（図示せず。）が、火災を検知した、という信号を送信する。
【０１１４】
また、入出力ポート１７ｄの複数の回線（この例では、４回線）のいずれかに接続された端末器（図示せず。）が、例えば、火災を検知した場合には、制御手段（ＣＰＵ）１１が、アドレスＡＤ４（この例では、アドレス「１３」）を付与して、火災受信機２に、端末器（図示せず。）が、火災を検知した、という信号を送信する。
【０１１５】
更に、この中継器３ｂ−２は、中継器３ｂ−１と同様、使用するアドレスを選択する切替手段（ディップスイッチ）ＤＩＰを備えているので、切替手段（ディップスイッチ）ＤＩＰのスイッチＳＷ１、ＳＷ２、ＳＷ３、ＳＷ４を適宜オンオフすることで、この中継器３ｂ−２に記憶させたアドレスＡＤ１、ＡＤ２、ＡＤ３、ＡＤ４の全て又は少なくとも１つを使用するようにして使用することができる。
【０１１６】
この中継器３ｂ−２では、１台の中継器３ｂ−２に複数の入出力ポート１７ａ、１７ｂ、１７ｃ、１７ｄを設け、入出力ポート１７ａ、１７ｂ、１７ｃ、１７ｄの各々の複数の回線に端末器（図示せず。）を接続できるようにしているので、１台の中継器３ｂ−２に沢山の端末器を接続できる。
【０１１７】
また、この中継器３ｂ−２は、記憶手段（Ｅ２ＰＲＯＭ）２２に記憶した先頭アドレスＡＤ１及び制御手段（ＣＰＵ）１１が、記憶手段（Ｅ２ＰＲＯＭ）２２に先頭アドレスＡＤ１が記憶されたことで、制御手段（ＣＰＵ）１１自身の記憶手段（図示せず。）に記憶したアドレスＡＤ２、ＡＤ３、ＡＤ４中、使用するアドレスを選択する切替手段（ディップスイッチ）ＤＩＰを備えているので、この中継器３ｂ−２を火災報知システム１の中継器３ｂの代わりに用いた場合に、例えば、切替手段（ディップスイッチ）ＤＩＰにより、不必要なアドレスについては、火災報知システム１の全体のアドレス空間から削除することができるので、火災報知システム１の全体のアドレス空間が、不必要なアドレス設定により、占有されることがない。
【０１１８】
のみならず、この中継器３ｂ−２では、記憶手段（Ｅ２ＰＲＯＭ）２２は、複数のアドレス中、最初のアドレスＡＤ１が設定されると、制御手段（ＣＰＵ）１１自身の記憶手段（図示せず。）に、残りのアドレスを予め定められた所定のパターンで自動設定するようにしているので、中継器３ｂ−２のアドレス設定を容易に行なうことができる。
【０１１９】
更に、この中継器３ｂ−２を火災報知システム１に用いた場合、切替手段（ディップスイッチ）ＤＩＰにより、１台の中継器３ｂ−２で、必要な数の端末器を制御できるので、火災報知システム１の最適な運用が可能となる。
【０１２０】
また、この中継器３ｂ−１では、記憶手段（Ｅ２ＰＲＯＭ）２２に最初のアドレスが設定された場合の、制御手段（ＣＰＵ）１１自身の記憶手段（図示せず。）に記憶される残りのアドレスの予め定められた所定のパターンを、連番にしているので、一つの中継器３ｂ−２に、重複したアドレスが設定されることが無い。
【０１２１】
尚、参考例２では、中継器として、記憶手段（Ｅ２ＰＲＯＭ）２２に最初のアドレスが設定された場合に制御手段（ＣＰＵ）１１自身の記憶手段（図示せず。）に３個のアドレスを記憶させ、入出力ポートが４個設けられた中継器３ｂ−２について説明したが、これは、単なる例示に過ぎない。
【０１２２】
本発明の参考例である中継器は、例えば、記憶手段（Ｅ２ＰＲＯＭ）２２に、最初のアドレスＡＤ１を記憶させると、制御手段（ＣＰＵ）１１自身の記憶手段（図示せず。）にｎ個（ｎ≧１）のアドレスが記憶され、入出力ポートがｎ個（ｎ≧２）設けられた中継器であって、ｎ個（ｎ≧１）のアドレスが連番になっている中継器等が含まれる。
【０１２３】
また、上記した発明の実施の形態１、参考例１、参考例２に示される中継器３ｂ、３ｂ−１、３ｂ−２では、切替手段として、装置構成が簡単で且つ切替操作が簡単な、ディップスイッチを採用しているので、製造コストを低く押さえつつ、火災報知システム１のアドレス空間を無駄に消費することなく、複数のアドレスを記憶できるとともに、必要なアドレスを選択して使用できるようにした中継器を市場に供給することができる。
【０１２４】
また、上記した発明の実施の形態１、参考例１、参考例２に示される中継器３ｂ、３ｂ−１、３ｂ−２では、切替手段（ディップスイッチ）ＤＩＰを用いた例を中心に説明したが、切替手段（ディップスイッチ）ＤＩＰに代えて、使用するアドレスを必要な数だけ固定して使用するための固定手段（例えば、ジャンパー）を用いるようにしてもよい。
【０１２５】
このように切替手段（ディップスイッチ）ＤＩＰを、使用するアドレスを必要な数だけ固定して使用するための固定手段（例えば、ジャンパー）に代えた場合には、中継器３ｂ、３ｂ−１、３ｂ−２を、中継器３ｂ、３ｂ−１、３ｂ−２に接続される端末器の数に対応させた専用器として用いることができる。
【０１２６】
また、以上、発明の実施の形態１、参考例１、参考例２では、中継器３ｂ、３ｂ−１、３ｂ−２として、１アドレスに対して４回線が設けられている例について説明したが、これは単なる例示に過ぎない。
【０１２７】
【発明の効果】
以上、詳細に説明したとおり、請求項１に記載の中継器では、１台の中継器に複数の入出力ポートを設けているので、１台の中継器に複数の端末器を接続できる。
【０１２８】
また、この中継器は、使用するアドレスを選択する切替手段を備えているので、この中継器を火災報知システムに用いた場合には、例えば、切替手段により、記憶手段に、必要なアドレスのみを記憶させることで、火災報知システムの全体のアドレス空間が、不必要なアドレス設定により、占有されることがない、火災報知システムの設定・運用が可能となる。
【０１２９】
また、この中継器を火災報知システムに用いた場合、この中継器の記憶手段に複数のアドレスを記憶させた場合であっても、切替手段により、不必要なアドレスについては、火災報知システムの全体のアドレス空間から削除することができるので、火災報知システムの全体のアドレス空間が、不必要なアドレス設定により、占有されることがない。
【０１３０】
更に、この中継器を火災報知システムに用いた場合、切替手段により、１台の中継器で、必要な数の端末器を制御できるので、火災報知システムの最適な運用が可能となる。
【０１３９】
請求項２に記載の中継器では、切替手段として、装置構成が簡単で且つ切替操作が簡単な、ディップスイッチを採用しているので、製造コストを低く押さえつつ、火災報知システムのアドレス空間を無駄に消費することなく、複数のアドレスを記憶できるとともに、必要なアドレスを選択して使用できるようにした中継器を市場に供給することができる。
【０１４１】
請求項３に記載の火災報知システムは、請求項1、２のいずれかの中継器を用いているので、製造コストを低く押さえつつ、中継器により火災報知システムの全体のアドレス空間が、不必要なアドレス設定により、占有されることがない、火災報知システムを市場に供給することができる。
【図面の簡単な説明】
【図１】本発明に係る中継器の内部構成の一例を模式的に説明するブロック図である。
【図２】本発明に係る、多重伝送式の火災報知システムの一例を概略的に説明する構成図である。
【図３】図３（ａ）及び図３（ｂ）の各々は、切替手段（ディップスイッチ）の設定例を例示的に説明する説明図である。
【図４】本発明の参考例である中継器の内部構成を模式的に示すブロック図である。
【図５】図５（ａ）、図５（ｂ）、図５（ｃ）及び図５（ｄ）の各々は、切替手段（ディップスイッチ）の設定例を例示的に説明する説明図である。
【図６】本発明の参考例である別の中継器の内部構成を模式的に示すブロック図である。
【図７】従来の多重伝送式の火災報知システムの一例を概略的に説明する構成図である。
【図８】図８（ａ）及び図８（ｂ）の各々は、従来の中継器の内部構成の一例を模式的に説明するブロック図である。
【図９】図９（ａ）及び図９（ｂ）の各々は、いわゆる当業者が通常想到し得ると思われる、複数の端末器を接続できるようにした中継器の内部構成を模式的に示す構成図である。
【符号の説明】
１ 火災報知システム
３ｂ、３ｂ−１、３ｂ−２ 中継器
１１ 制御手段（ＣＰＵ）
１２、２２ Ｅ２ＰＲＯＭ
１７ａ、１７ｂ、１７ｃ、１７ｄ 入出力ポート
【図１】
0003790893.tif 000002
【図２】
0003790893.tif 000003
【図３】
0003790893.tif 000004
【図４】
0003790893.tif 000005
【図５】
0003790893.tif 000006
【図６】
0003790893.tif 000007
【図７】
0003790893.tif 000008
【図８】
0003790893.tif 000009
【図９】
0003790893.tif 000010